(57)【特許請求の範囲】
【請求項１】
複数のゾーンから会場へ来場する来場者に関する情報を管理する来場者情報管理システムを用いて、前記来場者に対してアンケート画面を提示する来場者管理システムを用いたアンケート実施方法において、
前記来場者管理システムは、来場者が携帯するＩＣタグから当該ＩＣタグを識別するＩＣタグ番号を読み取るリーダ装置と、当該リーダ装置と接続された情報処理装置と、前記情報処理装置とネットワークを介して接続され、前記来場者情報を格納した管理サーバ装置からなり、
前記リーダ装置が、
前記来場者が前記複数のゾーンのいずれか来場する度に、前記ＩＣタグから前記ＩＣタグ情報を読み取り、当該ＩＣタグ情報および前記来場者が来場したゾーンを示すゾーン情報を、前記情報処理装置に送信し、
前記情報処理装置が、
送信された前記ＩＣタグ情報および前記来場者が来場したゾーンを示すゾーン情報を含む履歴情報、前記管理サーバ送信し、
前記管理サーバが、
送信された履歴情報に含まれる前記ＩＣタグ情報と前記ゾーン情報を対応付けてそれぞれ記憶し、
前記情報処理装置が、
前記ＩＣタグ情報を含むアンケート画面要求を、前記管理サーバに送信し、
前記管理サーバが、
前記アンケート画面要求に含まれるＩＣタグ情報に対応するゾーン情報を特定し、特定されたゾーン情報に対して重複チェックを実行し、当該重複チェックの結果、重複と判断された重複情報を削除し、前記重複情報が削除されたゾーン情報がソートされたアンケート画面を生成し、
前記来場者に対して、前記アンケート画面を提示することを特徴とする来場者管理システムを用いたアンケート実施方法。
【請求項２】
請求項１に記載の来場者管理システムを用いたアンケート実施方法において、
前記管理サーバは、
ＩＣタグ情報に対応付けて来場者の特性を示す属性情報を記憶しておき、
前記アンケート画面要求に含まれる前記ＩＣタグ情報に対応する属性情報を検索し、検索された前記属性情報に基づいて、前記アンケート画面を生成することを特徴とする来場者管理システムを用いたアンケート実施方法。
【請求項３】
請求項２に記載の来場者管理システムを用いたアンケート実施方法において、
前記管理サーバは、
前記属性情報毎に、前記アンケート画面のフレームを識別するフレーム情報を記憶しておき、
前記ゾーン情報毎に、前記アンケート画面の質問内容を示す質問情報を記憶しておき、
前記来場者が来場したゾーンを識別するゾーン情報を特定し、
検索された前記属性情報に対応するフレーム情報を検索し、
特定された前記ゾーン情報に対応する質問情報を検索し、
検索された前記フレーム情報および前記質問情報を組み合わせて前記アンケート画面を生成することを特徴とする来場者管理システムを用いたアンケート実施方法。
【請求項４】
請求項１乃至３のいずれかに記載の来場者管理システムを用いたアンケート実施方法において、
前記ゾーン情報のソートは、当該ゾーン情報の名前順ないし当該ゾーン情報が示すゾーンへの入場順のいずれかであることを特徴とする来場者管理システムを用いたアンケート実施方法。
【請求項５】
請求項３に記載の来場者管理システムを用いたアンケート実施方法において、
前記管理サーバは、
前記ＩＣタグ情報と前記来場者の属性を識別する識別情報を対応付けて記憶しておき、
前記識別情報と前記ゾーン情報を対応付けて記憶することで、
前記ＩＣタグ情報と前記ゾーン情報を対応付けて記憶することを特徴とする来場者管理システムを用いたアンケート実施方法。
【発明の詳細な説明】
【技術分野】
【０００１】
本発明は、来場者情報を管理する来場者管理の技術に係わり、特に来場者に対するアンケートを実施するための技術に関する。なお、来場者管理としては、ＩＣタグを含むいわゆるタグを用いることも含まれる。また、アンケートを実施には、アンケート画面を作成することも含まれる。
【背景技術】
【０００２】
従来の来場者管理システムにおいては、来場者に関する情報を管理することがなされていた。例えば、来場者情報を的確に把握し、また来場を知られたくない相手に対しては、秘密を遵守する来場者管理システムとして、特許文献１がある。特許文献１においては、チケットとして用いるＩＤタグに来場者に関する来場者情報を書き込んでおく。そして、各「ブース」に入場する際、端末装置にＩＤタグを差込む。端末装置は、差し込まれたＩＤカードから来場者情報を読み取り、センタに通知する。ここで、来場者情報の書込みの際に、来場者情報の読取りを拒否したい（来場を秘密にしたい）ブースのコードも書き込んでおく。そして、端末装置での読み取りの際、端末装置から対応する「ブース」のコードとＩＤタグに書き込まれたコードを比較し、一致した場合、ＩＤタグに記載された来場者情報の読み取りを抑止する。このことで、特許文献１では、来場者情報の管理（秘密保持）を行っている。
【０００３】
なお、特許文献１においては、来場者情報としてアンケート用紙に記載された内容を読み取ることが記載されている。しかし、ここでいうアンケートとは、来場に関する意見、感想の収集を言うのでなく、来場者を特定する情報の収集に過ぎない（特許文献１では、アンケート用紙に、企業名、業種、氏名、年齢、所属部署、担当業務、記号所在地、電話番号、ファクシミリ番号、役職、コードを記載させ、これを来場時（もしくはそれ以前）に書き込んでいる）。すなわち、特許文献１では、本発明で対象としているアンケートは実施されていない。
【０００４】
このため、来場者に対してアンケートを収集するには、以下のように行う必要があった。紙の媒体を利用し、全ての人に同一項目にてアンケートを実施している。アンケート内容を変更する場合は、あらかじめ複数パターン用意したアンケートを来場者と名刺を取り交わし、お客様の会社の業種を分かる範囲で推測し、推測した情報を元に、用意したアンケートを選び出し、アンケートを記入することが必要であり現実的ではなく不便である。
【０００５】
【特許文献１】特開平１０−２８３４０６号公報
【発明の開示】
【発明が解決しようとする課題】
【０００６】
解決しようとする問題点は、従来の技術では、お客(来場者)の業種を含む特性にそったアンケート用紙を複数用意し、ストックしておく必要があり、現実的ではない点である。
【０００７】
本発明の目的は、この課題を解決し、より容易にアンケート項目を設定可能な来場者亜管理のための技術を提供することである。
【課題を解決するための手段】
【０００８】
上記の課題を解決するために、本発明では、入場券として用いるタグから読み取った情報に基づいて、来場者に関する来場者情報を特定し、これを用いて来場者に提示するアンケート項目を決定するものである。
【０００９】
本発明には、以下の態様が含まれる。来場者管理システムは、ＩＣタグ等の電子的に情報を記録したカードとＩＣタグ等を読み取るリーダ装置と、リーダ装置を接続した情報表示端末と、読み取った情報を処理するサーバで構成する。そして、アンケート項目を設定する際に、来場者の所有しているＩＣタグ内の情報をリーダ装置で読み取り、読み取った情報を元に、サーバ内のＩＤ管理テーブル内の情報を参照し、属性テーブル、フレームテーブル、履歴テーブル、質問テーブルを元に来場者の情報にそったアンケート項目を作成し、表示する。なお、表示する装置は、来場者の携帯電話やパーソナルコンピュータなどでもよい。この場合、電子メールを利用して本画面を送付してもよし、ホームページ上に表示してもよい。この場合、ホームページのＵＲＬを電子メールで送信するようにしてもよい。
【発明の効果】
【００１０】
本発明によれば、来場者の属性、履歴に応じた情報の取得が可能であり、Ｏｎｅ  ｔｏ  Ｏｎｅのサービスが実現でき、来場者にとって必要な情報を提供でき、来場者の来場率の向上と有意義な情報提供が実現させることができる。
【発明を実施するための最良の形態】
【００１１】
以下、本説明の実施の形態を、図面を用いて詳細に説明する。
図1は、本実施の形態における構成例を示すブロック図である。
図１において、１００は情報を処理するための管理サーバ、２００は各種情報を表示する情報表示用端末、３００はＩＣタグを読み取るためのリーダ装置、４００はＩＣタグを示すブロック図である。各装置は、インターネットなどのネットワークを介して接続されている。なお、情報表示装置は、来場者が使用する携帯電話やパーソナルコンピュータであってもよい。
【００１２】
図２は、本実施の形態の管理サーバ１００の構成を示すブロック図である。
図２において、１１０は各種情報を処理する処理装置、１２０は情報を一時保持するメモリ、１２１〜１２６は各種情報を一時保持するメモリ領域、１３０は各種情報を格納するディスク、１３１はＩＣタグ番号が格納されたＩＤ管理ＤＢ、１３２は属性情報が格納された属性ＤＢ、１３３は各属性に関連があるフレーム情報を保持したフレームＤＢ、１３４は、履歴情報をゾーン毎に保持した履歴ＤＢ、１３５は、ゾーン情報に関する質問情報を保持した質問ＤＢをそれぞれ示す。そして、管理サーバ１００は、ディスク１３０に格納されたプログラム（図示せず）をメモリ１２０上に展開し、処理装置１１０がこのプログラムに従って所定の情報処理を実行する。なお、ゾーンとは、来場者が入場券（チケット）により入場が制限される来場会場のアトラクション、来場会場そのものも含む。なお、各メモリは一体のものであってよい（各メモリが格納エリアを示す）。
【００１３】
図３は、本実施の形態の情報表示用端末２００の構成を示すブロック図である。図３において、２１０は各種情報を処理する処理装置、２２０は情報を一時保持するメモリ、２３０は、情報を表示する表示部をそれぞれ示す。本情報表示端末２００は図示しない記憶装置に格納したプログラムをメモリ２２０上に展開し、このプログラムに従って処理装置２１０が情報処理を実行する。
【００１４】
図４は、本実施の形態のリーダ装置３００の構成を示すブロック図である。図４において、３１０は情報を一時保持するメモリをそれぞれ示す。リーダ装置３００は情報表示用端末２００もしくは情報ネットワーク５００と接続可能で、ＩＣタグ４００から情報を読み取り、これを情報表示用端末２００もしくは情報ネットワーク５００に対して送信可能である。
【００１５】
図５は、本実施の形態のＩＣタグ４００の構成を示すブロック図である。図５において、４１０は情報を保持するメモリを示す。このメモリには、ＩＣタグを識別するＩＣタグ番号が格納されている。本メモリは、書き換え可能でも不可能であってもいずれでもよい。書き換え可能な場合、より好適には、ライタ装置（リーダ装置３００が書き込み機能を有していてもよい）が、来場者を識別する情報および／または来場者に関する来場者情報を書き込む構成にしてもよい。また、ＩＣタグ４００は、情報を格納できるものであればよく、磁気カード、ＩＣカード、その他記憶媒体を含む。また、紙などにＩＣタグを添付したものをチケットとして用いてもよい。
【００１６】
図６は、本実施の形態における管理サーバ１００の処理動作例を示すフローチャート図である。以下、フローチャートおよび図７〜図１１に示すデータベースの内容を用いて処理動作について説明する。
【００１７】
まず、図７〜１１に示すデータベースを用意する。これらは、以下のように登録する。まず図７に示すＩＤ管理ＤＢ１３１は、ＩＣタグ４００を識別するＩＣタグ番号と来場者の属性を識別可能なＮＯを対応付けて記憶する。これは、以下のように登録される。来場者に配布するチケットとして用いるＩＣタグ４００のそれぞれに格納されたＩＣタグ番号を、適当に採番するＮＯと対応付けて記憶する。この採番は、ランダムに与えてもよい。また、予め保持している顧客（来場者）のデータで各顧客を識別する情報をＮＯとして用いてもよい。この場合、図８に示す属性ＤＢ１３２が予め存在するということである。ここで、チケットを配布する際、配布するチケット（ＩＣタグ）のＩＣタグ番号と配布先に合わせたＮＯを対応付けて記憶するようにする。
【００１８】
次に、図８の属性ＤＢ１３２について、説明する。これは、来場者の属性、すなわち、来場者の特性を示す情報が記憶されたものである。これは、各来場者毎に作成してもよい。また、特性毎に(複数の来場者で１つデータとなるよう)作成してもよい。この場合、１Ｄ管理ＤＢ１３１はＮＯとＩＣタグ番号が１対Ｎに対応するデータも存在する。なお、各来場者毎に作成する場合、上述したように顧客ＤＢとして予め保持しているものを流用してもよい。また、来場案内の際、顧客情報の提供を受け、それに基づいて作成してもよい。この場合、当日来場者からその情報の提供を受け、配布するＩＣタグのＩＣタグ番号と提供された来場者情報（ＮＯを採番し）を対応付けて記憶する。なお、図８には開示していないが、属性、役職以外に、氏名、年齢、所属部署、担当業務、記号所在地、電話番号、ファクシミリ番号、電子メールアドレスなどを記憶してもよい。
【００１９】
次に、図９のフレームＤＢ１３３について説明する。フレームＤＢ１３３は、属性とアンケート画面のフレームつまり、画面の枠組み識別する情報を対応付けて記憶するものである。これは、システム管理者が対応付けて記憶して作成すればよい。また、属性以外の来場者の特性(氏名、役職、年齢など)とフレームを識別する情報を対応付けて記憶してもよい。
【００２０】
次に、図１０の履歴ＤＢ１３４について説明する。履歴ＤＢ１３４は、ＮＯ毎に、当該ＮＯの来場者がいずれのゾーンに入場したかを示す情報を格納している。なお、ＮＯおよび／またはＩＣタグ番号を用いてもよい。これは、来場者が各ソーンに入場する際、各ゾーンに設置されたリーダ装置３００でＩＣタグからＩＣタグ番号を読み取ることで生成される。つまり、リーダ装置３００は読み取ったＩＣタグ情報を、対応する情報表示用端末２００に送信する。そして、情報表示用端末２００は受信したＩＣタグ情報とゾーンを特定するゾーン情報（ＡＺ等）を、管理サーバ１００に送信する。ここで、情報表示用端末２００は、当該情報表示用端末２００に対応するゾーン情報を保持し、これをＩＣタグ情報と対応付けて管理サーバ１００に送信する。管理サーバ１００では、受信したＩＣタグ情報に対応するＮＯをＩＤ管理ＤＢ１３１から検索し、これとゾーン情報を対応付けて記憶する。なお、ＮＯ＝ＩＣタグ情報として扱う場合には、上述した検索処理は省くことができる。また、ゾーン情報はリーダ装置３００が保持しており、これを情報表示用端末２００が受信する構成としてもよい。さらに、リーダ装置３００がゾーン情報を保持している場合、リーダ装置３００から管理サーバ１００にこれらの情報を送信してもよい。
【００２１】
次に、図１１の質問ＤＢ１３５について、説明する。質問ＤＢ１３５１３５は。ゾーン情報と質問の内容を識別する質問情報を対応付けて記憶している。ここで、質問情報は質問の内容そのものであってもよい。また、識別子である場合には、別に識別子と質問の内容を対応付けて記憶するデータベースを設けておく。
【００２２】
なお、質問ＤＢとフレームＤＢは、図１２に示すように一体のものとしてもよい。この場合、図示したように各データは質問画面でありフレームと質問内容を組み合わせたものである。さらに、各質問情報は違う条件でも同じ画面を用いてもよい。例えば、質問画面１や７。
【００２３】
また、フレームＤＢ１３３と質問ＤＢ１３５が別物として管理される場合、どの質問内容がフレーム中のいずれに表示されるかを示す情報を保持する。さらに、フレームは１つとして共通化してもよい。
【００２４】
次に、来場者に対して、会場でアンケート画面を提示する際の動作処理を、図６を用いて説明する。まず、前提として、来場者は、属性＝金融業、役職＝社長（つまり、ＮＯ＝０００１）であるとする。また、現在、ゾーンＡＺを見学したところとする。また、チケットして、ＩＣタグ番号＝１００００１が格納されたＩＣタグを保有するものとする。また、リーダ装置３００は情報表示用端末２００と接続され、それぞれ近辺に存在する。
【００２５】
次に、来場者はゾーンＡＺを退場する際に、まず、情報表示用端末２００を操作し、アンケート回答をスタートさせる。情報表示用端末２００は、表示画面にＩＣタグをリーダ装置３００にかざすように指示をする。これを受けて来場者は、ＩＣタグ４００をリーダ装置３００にかざす。リーダ装置３００では、ＩＣタグ４００からＩＣタグ番号「１００００１」を読み取る。そして、リーダ装置３００はこのＩＣタグ番号を情報表示用端末２００に送信する。情報表示用端末２００では、受信したＩＣタグ番号を含むアンケート画面要求を管理サーバ１００に送信する。以下、管理サーバ１００の処理動作を、図６を用いて説明する。
【００２６】
まず、ステップ６ａにおいて、送信されたアンケート画面要求を受信する。これを受け、ステップ６ｂにおいて、アンケート画面要求に含まれるＩＣタグ番号をＩＤ管理ＤＢから検索する。そして、ステップ６ｃにおいて、ＩＣタグ番号をＩＤ管理ＤＢに含まれるか判断する。本実施の形態では、ＩＣタグ番号「１００００１」が存在するので、「有」としてステップ６ｅに遷移する。なお、「無」と判断された場合は、その旨を示す情報を情報表示用端末２００に提示する（ステップ６ｄ）。
【００２７】
次に、ステップ６ｅにおいて、ＩＤ管理ＤＢ１３１から、アンケート要求画面に含まれるＩＣタグ番号に対応するＮＯを検索し、管理サーバ１００内のメモリ１２０のメモリＡ  １２１に格納する。本実施の形態では、ＩＣタグ番号「１００００１」に対応するＮＯ「０００１」を検索する。そして、このＮＯ「０００１」をメモリＡ１２１に格納する。
【００２８】
ステップ６ｆにおいて、メモリＡ１２１に格納したＮＯを元に属性ＤＢ１３４から属性(属性情報および役職情報)を検索し、属性情報をメモリＢ１  １２２に格納する。また、役職情報をメモリＢ２  １２３に格納する。本実施の形態では、属性ＤＢ１３２からＮＯ「０００１」に対応する属性「金融業」、役職「社長」を検索し、それぞれメモリに格納する。
【００２９】
ステップ６ｇにおいて、メモリＢ１  １２２内に格納した属性情報とメモリＢ２  １２３に格納した役職情報を用いて、フレームＤＢ１３３内のフレーム情報を検索し、検索結果をメモリＣ  １２４に格納する。本実施の形態では、属性情報が「金融業」、役職情報が「社長」である。ここで、図示しない役職情報テーブルを用いて、属性が「金融業役員」と特定する。そして、特定された「金融業役員」に対応するフレーム「Ａ１」をフレームＤＢ１３３から検索し、これをメモリに格納する。
【００３０】
ステップ６ｈにおいて、メモリＡ  １２１に格納されたＮＯに対応するＮＯを履歴ＤＢ１３４を検索し、また検索されたＮＯに対応付けて記憶されるゾーン情報を検索し、メモリＤ  １２５に格納する。本実施の形態では、メモリ１２１に格納されたＮＯ「０００１」は、履歴ＤＢ１３４に３つ格納されているのでこの３つの「０００１」をまず検索・特定する。そして、これらに対応付けられたゾーン情報「ＡＺ」「ＢＺ」「ＡＺ」を特定する。ここで、「ＡＺ」が２つあるのは、来場者が２度ゾーン「ＡＺ」に入場したためである。また、ＮＯ「０００２」の項に記載したように、１つの項に複数のゾーン情報を格納するようにしてもよい。また、アンケートに回答した場合、該当するゾーン情報を削除したり、回答済のフラグを立ててもよい。そして、これらのゾーン情報「ＡＺ」「ＢＺ」「ＡＺ」をメモリに格納する。回答済のフラグを立てる場合、フラグの経っていないゾーン情報を抽出して、これをメモリに格納する構成にしてもよい。なお、フラグは、まず建てておき、回答が済んだもののフラグを０にする（もしくは削除する）構成にしてもよい。
【００３１】
ステップ６ｉにおいて、メモリＤ  １２５内の情報に重複チェックを実施し、重複情報は削除後、昇順（所定順序）に並べ替える。本実施の形態では、「ＡＺ」「ＢＺ」「ＡＺ」がメモリに格納されているので、「ＡＺ」が重複していると判断する。このため、重複情報の削除、つまり、一方の「ＡＺ」を削除する。そして、「ＡＺ」「ＢＺ」の順にソート（並び替え）を行う。これは、所定のルールに従うように行う。例えば、名前順がある。さらに、ゾーン情報には、入場時間を付しておき、入場順（早い順、遅い順いずれも含む）にソートしてもよい。そして、これらの情報をメモリに格納する。
【００３２】
なお、重複するゾーン情報を検知した場合、削除せず情報を残したり、重複するゾーン情報に重複数（本例では２）を対応付けて記憶してもよい。この場合、１回目、２回目の入場それぞれについて、アンケートが取れるようになる。
【００３３】
ステップ６ｊにおいて、メモリＤ  １２５内のゾーン情報を元に、質問ＤＢ１３５より該当する質問情報を抽出し、メモリＥ  １２６に格納する。本実施の形態では、ゾーン情報「ＡＺ」に対応する「質問１」、「ＢＺ」に対応する「質問２」を抽出し、それぞれメモリに格納する。
【００３４】
最後にステップ６ｋにおいて、メモリＥ  １２６内に保持された質問情報を、メモリＣ  １２４で保持したフレーム情報に組み合わせて質問画面を生成し、情報表示用端末２００の表示部２３０に表示させる。ここでは、フレーム「Ａ１」と「質問１」「質問２」を組み合わせて表示させる。なお、質問画面は、図１２に示すＤＢを用いて生成してもよい。
【００３５】
そして、情報表示用端末２００では、来場者からの質問（アンケート）に対する回答を受付ける。なお、質問を表示する装置は、来場者の使用（もしくは所有）する携帯電話やパーソナルコンピュータであってもよい。この場合、来場者は退場時にＩＣタグをかざすだけで、帰宅等する。すると、管理サーバは、属性ＤＢ１３２に格納された電子メールアドレスに、質問画面を送付するかもしくは質問画面のＵＲＬを送信する。
【００３６】
また、リーダ装置３００を用いず、以下のように処理してもよい。チケットに「ＮＯ」を印刷しておき、これを情報表示用端末２００が入力を受付け、これに基づいて上述した処理を実行する。
【図面の簡単な説明】
【００３７】
【図１】本実施形態の来場者管理システムの概略構成を示すブロック図である。
【図２】本実施形態の管理サーバ１００の概略構成を示すブロック図である。
【図３】本実施形態の情報表示端末２００の概略構成を示すブロック図である。
【図４】本実施形態のリーダ装置３００の概略構成を示すブロック図である。
【図５】本実施形態のＩＣタグ４００の概略構成を示すブロック図である。
【図６】本実施形態の動作処理を示すフローチャートである。
【図７】図２における管理サーバ１００のディスク１３０内のＩＤ管理ＤＢ１３１のデータのデータ構成図を示す。
【図８】図２における管理サーバ１００のディスク１３０内のＩＤ管理ＤＢ１３２のデータのデータ構成図を示す。
【図９】図２における管理サーバ１００のディスク１３０内の属性ＤＢ１３3のデータのデータ構成図を示す。
【図１０】図２における管理サーバ１００のディスク１３０内のフレームＤＢ１３4のデータのデータ構成図を示す。
【図１１】図２における管理サーバ１００のディスク１３０内の質問ＤＢ１３5のデータのデータ構成図を示す。
【図１２】図９と図１１のデータベースを一体化した場合のデータベースのデータ構成図を示す。
【符号の説明】
【００３８】
１００…管理サーバ、１１０…処理装置、１２０…メモリ、１２１…メモリＡ、１２２…メモリＢ１、１２３…メモリＢ２、１２４…メモリＣ、１２５…メモリＤ、１２６…メモリＥ、１３０…ディスク、１３１…ＩＤ管理ＤＢ、１３２…属性ＤＢ、１３３…フレームＤＢ、１３４…履歴ＤＢ、１３５…質問ＤＢ、２００…情報表示端末、２１０…処理装置、２２０…メモリ、２３０…表示部、２、３００…リーダ装置、３１０…メモリ、４００…ＩＣタグ、４１０…メモリ
【図１】
0004839803.tif 000002
【図２】
0004839803.tif 000003
【図３】
0004839803.tif 000004
【図４】
0004839803.tif 000005
【図５】
0004839803.tif 000006
【図６】
0004839803.tif 000007
【図７】
0004839803.tif 000008
【図８】
0004839803.tif 000009
【図９】
0004839803.tif 000010
【図１０】
0004839803.tif 000011
【図１１】
0004839803.tif 000012
【図１２】
0004839803.tif 000013